(57)【要約】【課題】  様々な入力機器からの画像を一元管理し容易にユーザの好みのアルバムを作成・提供することにある。【解決手段】  ユーザがサーバー上にデジタル画像データを蓄積し、インターネット上で自分の好みのレイアウトや背景でアルバムを作成し、好みのプリンタを選択し、アルバム提供者がユーザ指定のレイアウト・背景・カバー・プリンタでアルバムを作成・印刷し、郵送する。【選択図】  図１
2005100195.tif 000002
【特許請求の範囲】
【請求項１】
ユーザがサーバー上にデジタル画像データを蓄積し、インターネット上で自分の好みのレイアウト、背景やカバーでアルバムを作成し、好みのプリンタを選択し、
アルバム提供者がユーザ指定のレイアウト・背景・カバー・プリンタでアルバムを作成し、受取人に郵送するインターネット経由でのアルバム作成・提供システム。
【請求項２】
請求項１において、ユーザがサーバー上にデジタル画像データを蓄積する手法は、ＰＣを用いて画像ファイルをインターネット上からアップロードする方法。
【請求項３】
請求項１において、ユーザがサーバー上にデジタル画像データを蓄積する手法は、コンビニエンストアやカメラ店の専用端末を経由してデジタル画像に変換し、その画像ファイルをサーバーにアップロードする方法。
【請求項４】
請求項１において、アルバムにする画像をユーザの好みの画像処理（例えば、モノトーン、ぼかし、イラストタッチなど）を加えることを特徴とする方法。
【請求項５】
請求項１において、受取人の最寄りのコンビニエンスストアやカメラ店を指定することができるアルバム作成・提供システム。
【請求項６】
請求項１において、印刷するアルバムの紙の種類を指定することができるアルバム作成・提供システム。
【発明の詳細な説明】
【技術分野】
【０００１】
本発明はインターネットを利用して画像を管理し、ユーザの好みのアルバムを作成・提供するシステムに関するものである。
【背景技術】
【０００２】
現在、デジタルカメラで撮影した画像をカメラ店に渡し、Ｌ判などでプリントしてユーザに郵送するサービスが存在する。
【０００３】
また、様々な入力機器（３５ｍｍカメラ、ＡＰＳカメラ、デジタルカメラ、スキャナ）が存在し、各々での現像方法でプリントし、デジカメやスキャナから作成した画像はプリンタで印刷し１つのアルバムにまとめていた。
【特許文献１】特開平１１−１５４２１８号公報
【発明の開示】
【発明が解決しようとする課題】
【０００４】
そのため、同じ場所で撮影した画像データがそれぞれの入力機器に散在し、アルバムとしてまとめるには多大な労力を要していた。また、プリント結果も出力装置ごとに異なるため全体として違和感があった。
【０００５】
そこで本発明は、このような観点からなされたものであり、その目的とするところは、
様々な入力機器からの画像を一元管理し容易にユーザの好みのアルバムを作成・提供することにある。
【課題を解決するための手段】
【０００６】
上記目的を達成するため、本発明のインターネット経由でのアルバム作成・提供システムは以下の構成を特徴とする。
【０００７】
即ち、ユーザがサーバー上にデジタル画像データを蓄積し、インターネット上で自分の好みのレイアウトや背景でアルバムを作成し、好みのプリンタを選択し、アルバム提供者がユーザ指定のレイアウト・背景・カバー・プリンタでアルバムを印刷し、郵送することである。
【発明の効果】
【０００８】
以上説明したように、本発明によれば、様々な入力機器から得られた画像ファイルを容易に管理することができ、ジャンル毎に自分の好みのアルバムを作成でき、友人・知人に手軽にアルバムを郵送できる。印刷するプリンタを選択できることで、常に最高画質を得ることも可能である。また、大量印刷の場合などは、メディアを普通紙などと指定することで安価にアルバムが作成できる。
【発明を実施するための最良の形態】
【０００９】
以下、図面を参照して本発明の実施形態について説明する。
【実施例１】
【００１０】
図１は、本発明のアルバム作成・提供システムの概念図である。
【００１１】
１０１はユーザであり、アルバム作成・管理者である。１０２は電子画像ファイルデータを蓄積するためのサーバーである。１０３はアルバムを作成するためのプリンタである。１０４はアルバム受取人である。アルバム作成者は自分の好みのアルバムをインターネットを介して作成し、アルバム提供者がユーザの希望どおりのアルバムを印刷し、ユーザ指定の受取人に郵送するまでの図である。
【００１２】
以下に詳細な手順を述べる。
【００１３】
図２のようにユーザはデジカメ・スキャナなどの電子機器から得られるデジタル画像（２０１、２０２）について、ＰＣ（２０３）を用いてインターネットを介して、そのまま自分専用のサーバー（２０４）にファイルを送信し、蓄積しておく。
【００１４】
図２のようにユーザは３５ｍｍフィルム（２０４）・ＡＰＳフィルム（２０５）などのフィルムから得られる画像について、デジタル画像変換機（フィルムスキャナなど）があれば、ＰＣ（２０３）を用いてインターネットを介して、そのまま自分専用のサーバーにファイルを送信し、蓄積しておく。デジタル画像変換機がなければ、コンビニエンスストアやカメラ店が用意した専用の端末（２０３）を利用して、デジタル画像に変換させサーバー（２０４）に送信し、蓄積しておく。または、すべての画像データをＣＤ−Ｒ・ＭＯ・ＰＣカードなどで保存し、専用端末からサーバーにアップロードしてもよい。
【００１５】
図３のようにユーザはＰＣを用いて、インターネット上で専用サーバー上に自分で作成した画像管理（３０１）ページへアクセスし、例えば、神戸旅行の時のアルバムを作成する。
【００１６】
まず、アルバム作成にあたりアルバムのカバーを選択する（図４  ４０１）。
【００１７】
アルバムの画像の背景を選択する（図４  ４０２）。
【００１８】
印刷を行うプリンタを選択する（図４  ４０３）。
【００１９】
この時、指定プリンタがサポートするメディアを指定することができる。
【００２０】
例えば、指定プリンタが最高画質を出力できるメディアを指定することができる。
【００２１】
安価で大量部数が欲しい場合は、普通紙などを指定できる。
【００２２】
アルバムに載せる画像データを選択し、画像データのレイアウトを自分の好みに行う（図５  ５０１）。画像編集をしたい場合は、モノトーン、ぼかし、イラストタッチなどの処理を加えることも可能である。ここで電子アルバムは作成完了である。
【００２３】
アルバムを送付する名前・住所・部数を入力し、完了する（図６  ６０１）。
【００２４】
この時、不在が多い受取人は最寄りのコンビニエンスストアやカメラ店を指定してもよい。
【００２５】
アルバム作成者はユーザの指示に従って、アルバムを印刷・作成し、受取人に郵送する。
【図面の簡単な説明】
【００２６】
【図１】本発明のインターネット経由でのアルバム作成・提供システムの概念図である。
【図２】画像データをサーバーにアップロードする概念図である。
【図３】画像データの管理画面である。
【図４】アルバム作成画面（アルバムカバー・アルバム背景・印刷プリンタ選択）である。
【図５】ページレイアウト編集画面である。
【図６】アルバム送付者リスト画面である。
【図１】
2005100195.tif 000003
【図２】
2005100195.tif 000004
【図３】
2005100195.tif 000005
【図４】
2005100195.tif 000006
【図５】
2005100195.tif 000007
【図６】
2005100195.tif 000008